(57)【特許請求の範囲】
【請求項１】
折戸の開閉動作を案内すると共に、折り畳まれた折戸を家具又は間仕切りの奥行方向に移動させる収納式折戸装置において、
折り畳まれた折戸を家具又は間仕切りの奥行方向に移動させるスライダと、
前記スライダに第一の回転軸の回りを回転可能に支持されると共に、家具又は間仕切りに設けられる被係合部に係合可能なフックと、
前記フックに第二の回転軸の回りを回転可能に支持されるレバーと、を備え、
折戸を折り畳むとき、前記レバーが折戸の裏面に当接しながら前記フックと一緒に前記第一の回転軸の回りを一方向に回転することによって、前記フックと前記被係合部との係合が外れて、前記スライダが家具又は間仕切りの奥行方向に移動可能になり、
折戸が家具又は間仕切りの開口を閉じるとき、前記レバーが折戸の裏面に当接しながら前記フックに対して前記第二の回転軸の回りを前記一方向とは反対方向に回転する収納式折戸装置。
【請求項２】
前記フックと前記レバーとの間には、前記フックに当接した状態の前記レバーを前記一方向に付勢力すると共に、前記レバーが前記フックに対して前記一方向と反対方向に回転するのを許容するばねが設けられることを特徴とする請求項１に記載の収納式折戸装置。
【請求項３】
家具又は間仕切りの下板には、折戸の下面に形成した溝に嵌まり、折り畳まれた折戸が家具の奥行き方向に移動するのを案内するガイド用突起が設けられることを特徴とする請求項１又は２に記載の収納式折戸装置。
【発明の詳細な説明】
【技術分野】
【０００１】
本発明は、折戸の開閉動作を案内すると共に、折り畳まれた折戸を家具又は間仕切りの奥行方向に収納できる収納式折戸装置に関する。
【背景技術】
【０００２】
折戸は、蝶番で折りたためるようにした戸であり、家具（戸棚、クローゼット等）又は間仕切り（建築物の部屋間の仕切り等）の開口を開閉するのに適している。【０００３】
折り畳んだ状態の折戸が家具又は間仕切りの前面から突き出ると邪魔になるので、近年、折り畳んだ状態の折戸を家具又は間仕切りの内側に収納できるようにした収納式折戸装置が提案されている（特許文献１参照）。【０００４】
図１１に示すように、この収納式折戸装置は、折戸を家具の奥行方向に移動させるスライダ４を備える。折戸は２枚の扉１及び扉２から成っていて、扉１及び扉２はヒンジ３によって互いに回転可能に連結されている。扉１の一端部はスライダ４に回転可能に支持されている。扉２の一端部はガイドレール５に沿って走行するローラ走行体６に回転可能に支持されている。ガイドレール５はＬ字形状に折れ曲っており、家具の前面に平行な第一のガイドレール５ａと、家具の奥行方向に伸びる第二のガイドレール５ｂと、を備える。【０００５】
この収納式折戸装置において、折戸が完全に閉まる前にスライダ４が移動するのを防止するためにロック機構が設けられる。折戸を完全に折り畳む前にスライダ４が移動すると、折り畳まれた折戸を家具内に収納できなくなるからである。ロック機構は、スライダ４に所定の回転軸の回りを回転可能に支持されるフック７を備える。図１１（ａ）に示すように、折戸を完全に折り畳む前には、スライダ４が家具の奥行方向に移動できないようにフック７は家具の凹部（図示せず）に係合している。図１１（ｂ）に示すように、折戸を完全に折り畳むと、ローラ走行体６に設けられた作動板（図示せず）がフック７に当接し、フック７が回転し、フック７と家具の凹部との係合が外れる。これにより、スライダ４が家具の奥行方向に移動できるようになる。
【先行技術文献】
【特許文献】
【０００６】
【特許文献１】特開平６−２１２８５４号公報
【発明の概要】
【発明が解決しようとする課題】
【０００７】
しかし、従来の収納式折戸装置にあっては、家具の開口の上部を走行するローラ走行体６に作動板を設けているので、作動板の通過スペースの分家具の収納スペースが減少したり、見た目が悪くなったりするという問題がある。【０００８】
ローラ走行体６に作動板を設けずに、折戸の裏面を利用してスライダ４のロックを解除することができれば、上述の問題点を解決することができるが、如何にして折戸の裏面を利用してスライダ４のロックを解除するかが課題になる。【０００９】
そこで、本発明は、折戸の裏面を利用してスライダのロックを解除することができる収納式折戸装置を提供することを目的とする。
【課題を解決するための手段】
【００１０】
上記課題を解決するために、本発明は、折戸の開閉動作を案内すると共に、折り畳まれた折戸を家具又は間仕切りの奥行方向に移動させる収納式折戸装置において、折り畳まれた折戸を家具又は間仕切りの奥行方向に移動させるスライダと、前記スライダに第一の回転軸の回りを回転可能に支持されると共に、家具又は間仕切りに設けられる被係合部に係合可能なフックと、前記フックに第二の回転軸の回りを回転可能に支持されるレバーと、を備え、折戸を折り畳むとき、前記レバーが折戸の裏面に当接しながら前記フックと一緒に前記第一の回転軸の回りを一方向に回転することによって、前記フックと前記被係合部との係合が外れて、前記スライダが家具又は間仕切りの奥行方向に移動可能になり、折戸が家具又は間仕切りの開口を閉じるとき、前記レバーが折戸の裏面に当接しながら前記フックに対して前記第二の回転軸の回りを前記一方向とは反対方向に回転する収納式折戸装置である。
【発明の効果】
【００１１】
本発明によれば、折戸を折り畳むとき、折戸の裏面を利用してスライダのロックを解除することができる。また、折戸が家具又は間仕切りの開口を閉じるとき、レバーが折戸の軌跡を邪魔しないように逃げる。よって、折戸の軌跡に干渉するレバーを設けても、折戸が家具又は間仕切りの開口を閉じることが可能になる。
【図面の簡単な説明】
【００１２】
【図１】本発明の一実施形態の収納式折戸装置が組み込まれた家具の正面図
【図２】上記家具の垂直断面図
【図３】上記家具の水平断面図
【図４】ガイドレール及び走行体の垂直断面図
【図５】本実施形態の収納式折戸装置のロック機構の平面図（図（ａ）は折戸が閉じた状態のロック機構を示し、図（ｂ）は折戸を折り畳む前のロック機構を示し、図（ｃ）は折戸を完全に折り畳んだ状態のロック機構を示す）
【図６】本実施形態の収納式折戸装置の折戸を折り畳む前の状態の動作図
【図７】本実施形態の収納式折戸装置の折戸を完全に折り畳んだ状態の動作図
【図８】本実施形態の収納式折戸装置の折戸を家具の奥に収納した状態の動作図
【図９】家具本体の下板に第一の扉を案内するガイド用突起を設けた例を示す図（図（ａ１）及び図（ａ２）は折り畳まれた折戸を家具本体に収納する前の状態を示し、図（ｂ１）及び図（ｂ２）は折り畳まれた折戸を家具本体に収納した後の状態を示す）
【図１０】家具本体の下板に第二の扉を案内するガイド用突起を設けた例を示す図（図（ａ１）及び図（ａ２）は折り畳まれた折戸を家具本体に収納する前の状態を示し、図（ｂ１）及び図（ｂ２）は折り畳まれた折戸を家具本体に収納した後の状態を示す）
【図１１】従来の収納式折戸装置を示す水平断面図（図（ａ）は折戸が折り畳まれる前の状態を示し、図（ｂ）は折戸が完全に折り畳まれた状態を示す）
【発明を実施するための形態】
【００１３】
以下、図面を参照して本発明の一実施形態の収納式折戸装置を詳細に説明する。図１は本実施形態の収納式折戸装置の正面図を示し、図２は垂直断面図を示し、図３は水平断面図を示す。
【００１４】
図１に示すように、家具１１の前面には、開口１１ａを開閉する折戸１２が設けられる。家具１１は、箱形状に形成され、天板１１−１、左右一対の側板１１−２、下板１１−３、及び裏板１１−４（図２参照）を備える。家具１１の前面には、正面から見て上下方向に細長い四角形の開口１１ａが形成される。この開口１１ａが折戸１２によって開閉される。
【００１５】
折戸１２は、開口１１ａの半分の大きさを持つ第一の扉２１と、同じく開口１１ａの半分の大きさを持つ第二の扉２２と、を備える。第一の扉２１と第二の扉２２とは、例えば三つのヒンジ２３によって連結される。ヒンジ２３は、第一の扉２１に取り付けられる一片２３ａと、第二の扉２２に取り付けられる一片２３ｂと、一片２３ａと一片２３ｂを互いに回転可能に連結する連結軸２３ｃと、を備える（図３参照）。
【００１６】
図３に示すように、第一の扉２１の一端部はスライダ１４にヒンジ１９を介して回転可能に支持されている。このスライダ１４は折り畳まれた折戸１２を家具の奥行方向に移動させる役目を持つ。ヒンジ１９には、第一の扉２１を四軸以上による複雑な軌跡を描いて開閉させるスライド蝶番を用いてもよいし、一軸による単純な円運動を描いて開閉させる単純なヒンジを用いてもよい。スライド蝶番を用いると、第一の扉２１の開き角度を所定の角度でストップさせることができるという利点がある。第二の扉２２の一端部には、Ｌ字形状のガイドレール１５を走行する走行体１６が設けられる。第二の扉２２はガイドレール１５を走行しつつ走行体を中心にして回転する。
【００１７】
まず、折り畳まれた折戸１２を奥行方向に移動させるスライダ１４について説明する。図２に示すように、家具１１の側板１１−２には、上下一対の平行なレール３１が取り付けられる。レール３１は断面Ｕ字形状に形成され、水平方向に伸びている。上下一対のスライダ１４は、上下一対のレール３１に水平方向に移動可能に組み付けられている。スライダ１４は、断面Ｕ字形状のレール３１内に挿入されるインナーレール３２と、インナーレール３２にボルト結合される支持プレート３３と、を備える。レール３１とインナーレール３２との間には、図示しない多数の玉等の転動体が介在し、インナーレール３２が円滑に移動できるようになっている。支持プレート３３は例えば四角形の板状に形成される。支持プレート３３には、例えば上下一対の上述のヒンジ１９が取り付けられる。上下一対のスライダ１４が同期して移動するように、支持プレート３３は垂直方向に伸びる連結軸３４で連結される。連結軸３４は支持プレート３３に回転可能に支持されている。連結軸３４の両端部にはピニオン３５が設けられる。レール３１には、レール３１と平行にピニオン３５に噛み合うラック３６が設けられる。上下一対のスライダ１４が家具１１の奥行方向に移動する間、連結軸３４のピニオン３５もラック３６に噛み合いながら移動する。このため、上下一対のスライダ１４が同期して移動する。連結軸３４を設けないと仮定すると、折戸１２の重さによって下側のスライダ１４が上側のスライダ１４よりも先に進み、折戸１２を円滑に移動させることが困難になる。連結軸３４を設けることでこの問題を解決できる。
【００１８】
家具１１の天板１１−１に設けられるガイドレール１５について説明する。図３の破線に示すように、家具１１の天板１１−１には、Ｌ字形状のガイドレール１５が設けられる。ガイドレール１５には、折戸１２の第二の扉２２の一端部に設けた走行体１６が嵌まる。折戸１２を開閉する間、走行体１６はこのガイドレール１５を走行する。ガイドレール１５は、家具１１の開口１１ａの前面に平行な第一のガイドレール１５ａと、第一のガイドレール１５ａに直交する第二のガイドレール１５ｂと、を備える。図４に示すように、ガイドレール１５の断面はＵ字形状に形成されていて、天板１１−１に埋め込まれている。走行体１６は、第二の扉２２の裏面に取り付けられるブラケット４１と、ブラケット４１に結合される垂直軸４２と、垂直軸４２に回転可能に嵌められる樹脂製のローラ４３と、を備える。ローラ４３には外側に張り出すフランジ４３ａが一体に形成される。ローラ４３のフランジ４３ａとブラケット４１との間には、フランジ４３ａをガイドレール１５に付勢するコイルばね４４が設けられる。これにより、ガイドレール１５内にローラ４３を位置させることができる。
【００１９】
折戸１２が完全に折り畳まれる前に奥行方向に移動するのを防止するロック機構５１について説明する。図３に示すように、スライダ１４には、ロック機構５1が取り付けられる。ロック機構５１は、スライダ１４にボルト等により結合されるブラケット５２と、ブラケット５２に第一の回転軸５３の回りを回転可能に支持されるフック５４と、フック５４に第二の回転軸５５の回りを回転可能に支持されるレバー５６と、を備える。
【００２０】
ブラケット５２の基部はボルト等によりスライダ１４に結合される。ブラケット５２は途中でＬ字に折り曲げられていて、ブラケット５２のプレート状の先端部が水平面内に位置するようになっている。ボルト等によってブラケット５２をスライダ１４に取り付ければ、スライダ１４にロック機構を付加することができる。このため、ロック機構５１の組み立てが容易になる。
【００２１】
ブラケット５２には第一の回転軸５３が結合される。第一の回転軸５３は垂直方向を向いている。第一の回転軸５３にはフック５４が回転可能に取り付けられる。フック５４の先端部は鉤形に折れ曲がり、被係合部としてのピン１８に係合可能である。ピン１８は家具１１の天板１１−１から下方に垂下している。フック５４がピン１８に係合すると、スライダ１４が家具１１の奥行方向に移動するのが不可能になる。
【００２２】
フック５４には第二の回転軸５５が結合される。第二の回転軸５５にはレバー５６が回転可能に取り付けられる。レバー５６は樹脂製であり、折戸１２の第一の扉２１に当接可能である。
【００２３】
図５はロック機構５１の動作を示す平面図である。ここでは、ロック機構５１の単独の動作を説雌する。折戸１２の開閉に伴ったロック機構５１の動作については後述する。
【００２４】
図５（ａ）は折戸１２が完全に閉まった状態のロック機構５１を示す。図５（ａ）→図５（ｂ）に示すように、レバー５６がフック５４に対して第二の回転軸５５の回りを反時計方向（一方向）に所定角度回転すると、レバー５６がフック５４に当接して、レバー５６がフック５４に対して回転できないようになる。レバー５６とフック５４との間には、フック５４に当接した状態のレバー５６を反時計方向に付勢するばね５７が設けられる。このばね５７は、レバー５６がフック５４に対して時計方向（一方向と反対方向）に回転するのを許容する。ばね５７には、例えばねじりばねを用いることができる。
【００２５】
図５（ｂ）→図５（ｃ）に示すように、さらにレバー５６を反時計方向に回転させると、フック５４がレバー５６と一緒に第一の回転軸５３の回りを反時計方向に回転する。これにより、フック５４とピン１８との係合が外れる。フック５４とブラケット５２との間には、ピン１８に当接した状態のフック５４をピンに時計方向に付勢するばね５８が設けられる。このばね５８は、フック５４が反時計方向に回転するのを許容する。ばね５８には、例えばねじりばねを用いることができる。
【００２６】
図５（ｂ）→図５（ａ）に示すように、フック５４がピン１８に係合した状態で、レバー５６が時計方向（一方向と反対方向）に回転すると、レバー５６のみがフック５４に対して時計方向に回転する。
【００２７】
図６ないし図８を参照しつつ、折戸１２の開閉に伴ったロック機構５１の動作を説明する。図６ないし図８の白抜きの矢印は作業者が折戸１２に加える力の方向を示す。図６に示すように、折戸１２を折り畳むと、第一の扉２１は、第一の扉２１の一端部に取り付けられたヒンジ１９を中心にして回転する。第二の扉２２は、第二の扉２２の一端部に設けられた走行体１６を中心にして回転する。第二の扉２２の回転に伴って走行体１６はガイドレール１５に沿って移動する。図６に示すように、第一及び第二の扉２１，２２が完全に折り畳まれる前（第一の扉２１と第二の扉２２が平行になる前）には、折戸１２はロック機構５１のレバー５６に当接することはない。折戸１２を奥行方向に移動させようとしても、ロック機構５１のフック５４がピン１８に係合するので、スライダ１４は奥行方向に移動することはない。これにより、折戸１２の折り畳みが中途半端な状態なときに折戸１２が家具１１内に引き込まれるのを防止できる。折戸１２が完全に折り畳まれる前の状態では、レバー５６は第一のガイドレール１５ａよりも前方に突出している。
【００２８】
図７に示すように、折戸１２を完全に折り畳む（第一の扉２１と第二の扉２２が平行になる）と、レバー５６が第二の扉２２の裏面に当接しながらフック５４と一緒に第一の回転軸５３の回りを反時計方向に回転する。これにより、フック５４とピン１８との係合が外れて、スライダ１４が家具１１の奥行方向に移動できるようになる。このとき、第二の扉２２の走行体１６はガイドレール１５のコーナに位置する。
【００２９】
図８に示すように、完全に折り畳まれた折戸１２を家具１１の奥行方向に押し込むと、折戸１２がスライダ１４と一緒に家具１１の奥行方向に移動する。折戸１２が奥行方向に移動する間、走行体１６は第二のガイドレール１５ｂに沿って移動する。走行体１６が第二のガイドレール１５ｂに沿って移動するので、折戸１２が閉じた状態から開くことが防止される。レバー５６は第二の扉２２に当接したままであり、ブラケット５２に対するフック５４及びレバー５６の回転角度は一定を保つ。家具１１には、折戸１２を収納するスペースを区画する壁１１−５が形成されている。折り畳まれた折戸１２はこのスペースに収納される。
【００３０】
上記とは逆に、家具１１の奥に収納された折戸１２を引き出すとき、図８→図７に示すように、折戸１２は折り畳まれたまま前方に引き出される。図７に示すように、走行体１６がガイドレール１５のコーナまで移動すると、走行体１６が第一のガイドレール１５ａに沿って移動可能になり、折り畳まれた折戸１２を開くことが可能になる。図７→図６に示すように、折り畳まれた折戸１２を開くと、ばね５８の付勢力によってレバー５６及びフック５４が一緒に時計方向に回転し、フック５４がピン１８に係合する。ばね５８は第二の扉２２を開く方向に付勢力を発揮するので、第二の扉２２が自動的に開き、折戸１２を開くのが容易になる。フック５４がピン１８に係合すると、折戸１２が奥行方向に移動しなくなる。
【００３１】
図３に示すように、折戸１２の第一及び第二の扉２１，２２を完全に開き（第一及び第二の扉２１，２２が同一の平面内に配置されるようにする）、折戸１２で家具１１の開口１１ａを閉じると、レバー５６が第一の扉２１の裏面に当接しながら時計方向に回転する。レバー５６が折戸１２の軌跡を邪魔しないように逃げることになるので、折戸１２が家具１１の開口１１ａを閉じることが可能になる。
【００３２】
図９は、家具１１の下板１１−３に折戸１２を案内するガイド用突起６１を設けた例を示す。図９（ａ１）及び図９（ａ２）は、折戸１２を家具１１の奥に収納する前の状態を示し、図９（ｂ１）及び図９（ｂ２）は折戸１２を家具１１に収納した後の状態を示す。図９（ａ１）及び図９（ｂ１）は家具１１の水平断面図を示す。図９（ａ２）及び図９（ｂ２）は家具１１の垂直断面図を示す。
【００３３】
この例においては、第一の扉２１の底面には、溝２１ａが形成される。下板１１−３には、溝２１ａに嵌まるガイド用突起６１が形成される。ガイド用突起６１は、舟のような形状に形成され、前後方向の両端部が尖っている。このようなガイド用突起６１を設けることで、折り畳まれた折戸１２をさらに安定して移動させることができる。
【００３４】
図１０は、家具１１の下板１１−３に折戸１２を案内するガイド用突起を設けた他の例を示す。この例では、第二の扉２２の底面に溝を形成し、ガイド用突起６１を第二の扉２２に嵌めている点が、図９の例と異なる。その他の構成は、図９の例と同一なので、同一の符号を附してその説明を省略する。
【００３５】
なお、本発明は上記実施形態に具現化されるのに限られることはなく、本発明の要旨を変更しない範囲で様々な実施形態に実現可能である。
【００３６】
例えば、上記実施形態では、ばねを用いてレバーがフックに当接した状態を維持しているが、ばねの替わりに、マグネットキャッチ、ローラーキャッチ、又は摩擦力を用いてレバーがフックに当接した状態を維持してもよい。いずれにしても、折戸を折り畳むとき、レバーがフックと一緒に一方向に回転し、折戸が開口を閉じるとき、レバーのみがフックに対して一方向と反対方向に回転すればよい。
【００３７】
レバーに接触する第一及び第二の扉の摩耗を防止するため、第一及び第二の扉のレバーに接触する部分を金属製のプレートで覆ってもよい。
【００３８】
上記実施形態では、家具の開口を二枚の扉からなる一組の折戸で開閉する例について説明したが、家具の開口の両端部に一対の折戸を設け、合計四枚の扉で家具の開口を開閉するようにしてもよい。
【００３９】
上記実施形態では、家具本体に下板を設けた例について説明したが、家具に重量物を収納する場合、下板を省略することも可能である。
【００４０】
本発明は家具に限られることはなく、間仕切り（建築物の部屋と部屋を仕切る間仕切り、及び入口等の建築物と外部との仕切りを含む）にも適用することができる。
【００４１】
本明細書は、２０１２年１月３１日出願の特願２０１２−０１８９０７に基づく。この内容はすべてここに含めておく。
【符号の説明】
【００４２】
１１…家具
１１−３…家具の下板
１１ａ…家具の開口
１２…折戸
１４…スライダ
１８…ピン（被係合部）
２１…第一の扉
２１ａ…溝
２２…第二の扉
５1…ロック機構
５２…ブラケット
５３…第一の回転軸
５４…フック
５５…第二の回転軸
５６…レバー
６１…ガイド用突起
【図１】
0005587502.tif 000002
【図２】
0005587502.tif 000003
【図３】
0005587502.tif 000004
【図４】
0005587502.tif 000005
【図５】
0005587502.tif 000006
【図６】
0005587502.tif 000007
【図７】
0005587502.tif 000008
【図８】
0005587502.tif 000009
【図９】
0005587502.tif 000010
【図１０】
0005587502.tif 000011
【図１１】
0005587502.tif 000012